(57)【要約】【課題】光照射機能を有する放射線検出装置において、センサーパネルの光電変換素子アレイ領域に均一な光量を確保し、信頼性の高い放射線検出装置を提供する。【解決手段】放射線検出装置は、放射線を光に変換するシンチレータパネル１と、光を電気信号に変換する複数の光電変換素子が基板４上に２次元アレイ状に配置された光電変換素子アレイ２及びその外周部に配線・パッド部３を備えたセンサーパネル５とを有する。センサーパネル５よりも小さく光電変換素子アレイ領域Ａ１−Ａ２に略等しい導光板６を設置し、その外側の不感領域Ａ２−Ｂ１に光発生器７及び支持基板８を設置する。光発生器７からの光を導光板６を介して均一な光として光電変換素子アレイ領域Ａ１−Ａ２に照射する。【選択図】図１
2007163216.tif 000002
【特許請求の範囲】
【請求項１】
入射する放射線を光電変換素子が感知可能な波長帯域の第１の光に変換するシンチレータと、前記第１の光を電気信号に変換する複数の光電変換素子が２次元アレイ状に配置された有効画素領域を有する光電変換素子アレイ及びその外周部に電極パッド部を備えたセンサーパネルとを有する放射線検出装置において、
第２の光を発生する光発生器と、
前記センサーパネルの前記シンチレータと対向した面に配置され、且つ、前記第２の光を前記光電変換素子アレイ側へ導いて照射するように構成された導光板とを備え、
前記導光板は、前記センサーパネルよりも小さいことを特徴とする放射線検出装置。
【請求項２】
前記導光板は、前記光電変換素子アレイの有効画素領域と略等しい大きさを有し、前記第２の光を前記光電変換素子アレイの有効画素領域に略等しい範囲へ導いて照射するように構成されたことを特徴とする請求項１に記載の放射線検出装置。
【請求項３】
前記光発生器は、前記センサーパネルの前記シンチレータと対向した面における前記導光板の外側に配置され、
前記光発生器の周辺部に、前記センサーパネルを支持する支持部材が配置されることを特徴とする請求項１又は２に記載の放射線検出装置。
【請求項４】
前記支持部材は、前記センサーパネルの外周部に配置されることを特徴とする請求項１乃至３のいずれか１項に記載の放射線検出装置。
【請求項５】
前記支持部材は、衝撃干渉材としての機能を有していることを特徴とする請求項１乃至４のいずれか１項に記載の放射線検出装置。
【請求項６】
前記支持部材は、光反射材としての機能を有していることを特徴とする請求項１乃至５のいずれか１項に記載の放射線検出装置。
【請求項７】
前記光発生器は、一部に光反射面を有することを特徴とする請求項１乃至６のいずれか１項に記載の放射線検出装置。
【請求項８】
前記導光板は、前記センサーパネル側の面に光拡散シートを設置していることを特徴とする請求項１乃至７のいずれか１項に記載の放射線検出装置。
【請求項９】
前記導光板は、前記センサーパネル側とは反対側の面に光反射シートを設置していることを特徴とする請求項１乃至８のいずれか１項に記載の放射線検出装置。
【請求項１０】
前記光電変換素子は、絶縁性基板上に配置された非単結晶半導体層を有することを特徴とする請求項１乃至９のいずれか１項に記載の放射線検出装置。
【請求項１１】
請求項１乃至１０のいずれか１項に記載の放射線検出装置を備えたことを特徴とする放射線撮像システム。
【請求項１２】
前記放射線検出装置からの信号を処理する信号処理手段と、
前記信号処理手段からの信号を記録するための記録手段と、
前記信号処理手段からの信号を表示するための表示手段と、
前記信号処理手段からの信号を伝送するための伝送処理手段と、
前記放射線を発生させるための放射線源とをさらに備えたことを特徴とする請求項１１記載の放射線撮像システム。
【発明の詳細な説明】
【技術分野】
【０００１】
本発明は、医療診断機器、非破壊検査機器等に用いられる放射線検出装置および放射線撮像システムに関し、特に、Ｘ線撮影等に用いられる放射線検出装置および放射線撮像システムに関する。なお、本明細書においては、放射線の範疇に、Ｘ線、γ線などの電磁波も含むものとして説明する。
【背景技術】
【０００２】
従来、Ｘ線蛍光体層が内部に備えられた蛍光スクリーンと両面塗布剤とを有するＸ線フィルムシステムが一般的にＸ線写真撮影に使用されてきた。しかし、最近、Ｘ線蛍光体層と２次元光検出器とを有するデジタル放射線検出装置の画像特性が良好であること、また、データがデジタルデータであるためネットワーク化したコンピュータシステムに取り込むことによってデータの共有化が図られる利点があることから、デジタル放射線検出装置について盛んに研究開発が行われ、種々の特許出願もされている。
【０００３】
これらデジタル放射線検出装置の中でも、高感度で高鮮鋭な装置として、特許文献１に開示されているように、複数の光電変換素子及びＴＦＴ（Thin Film Transistor）等の電気素子が２次元に配置されている光電変換素子部からなる光検出器上に、放射線を光電変換素子で検出可能な光に変換するための蛍光体層を形成してなる放射線検出装置が知られている。
【０００４】
上記のように放射線を可視光に変換する蛍光体等のシンチレータ（波長変換体）と、複数の光電変換素子を有するセンサーパネルとを用いた放射線検出装置では、静止画撮影などにおいて、暗電流が生じることがある。これは、過去の放射線の照射履歴やバイアス印加履歴、光電変換素子内に残留した転送残りによる残留電荷、光電変換素子内の欠陥にトラップされたトラップ電荷等に起因している。また、複数回の画像を取得する動画撮影などにおいては、素子特性が変化してしまい、画像特性に悪影響を及ぼすといったことがある。特に、アモルファスシリコンなどの非単結晶半導体層を有する光電変換素子を用いた場合、光電変換素子は多くの欠陥を有するため、欠陥にトラップされたトラップ電荷の影響が大きい。
【０００５】
その対策として、放射線検出装置の裏面側に光源を配置し、その光源から光電変換素子に光を照射することで、光電変換素子の特性を改善する技術が知られている。この技術は、光リセット、バイアス光照射、光キャリブレーション等とも言う。これによると、光照射により、光電変換素子に強制的に電荷を発生させそれを画像情報として用いずに読み出したり、欠陥に取り込まれる分だけの電荷を発生させて欠陥準位を埋めたりできる。
【０００６】
この技術では、光源の配置構成として、センサーパネルと光源との間に液晶表示装置のバックライトに用いられるような導光板（光導波路）を配置した構成が検討されている。
【０００７】
上記のような光照射を行う光源を備えた従来例の放射線検出装置について、以下に説明する。
【０００８】
図１３は、従来例の放射線検出装置を示す断面図（特許文献２参照）で、Ｘ線フラットパネル検出器１１０と、光発生器１２０の配置を示している。Ｘ線フラットパネル検出器は、表面電極１１１、Ｘ線変換層１１２、検出アレイ層１１３から構成されている。光発生器１２０は、光反射フィルム１２１、導光板１２２、光源本体１２３、光拡散フィルム１２４から構成されている。
【０００９】
この構成において、光発生器１２０は、光源本体１２３からの光をＸ線フラットパネル検出器１１０に入射させることによって、前述した光電変換素子への光照射を行う。これにより、特に値の低い信号の信号電荷の伝送効率を向上させることができる。この光発生器１２０は、光照射用の導光板１２２が少なくとも受光面を覆う大きさで形成されている。
【特許文献１】特開２０００−２８４０５３号公報
【特許文献２】特開２００４−０３３６５９号公報
【発明の開示】
【発明が解決しようとする課題】
【００１０】
しかしながら、上記従来例の放射線検出装置において、拡散板は光源本体部まで配置されていることから、光源本体に近い光電変換素子アレイは、通常の導光板からの透過光だけでなく、光源本体から光拡散フィルムを通じて照射された光が、追加して到達する。このため、光源本体に近い光電変換素子アレイは、その他の光電変換素子アレイに比較して光照射用の光量が過剰となってしまう。
【００１１】
また、不図示であるが、光電変換後の外部出力端子は必要であり、Ｘ線フラットパネル検出器の外側に外部出力端子を設置すると、この外部出力端子部と光源本体部が放射線撮影時の不感領域となり、放射線撮影範囲が限定されてしまう。この不感領域を極力小さくする必要がある。
【００１２】
さらに、この光源本体は、光反射フィルムと光拡散フィルムに挟まれているだけのため、外部から力が加わった場合に破損してしまう危険性がある。
【００１３】
本発明は、光照射機能を有する放射線検出装置において、センサーパネルの光電変換素子アレイ領域に均一な光照射用の光量を確保し、信頼性の高い放射線検出装置を提供することを目的とする。
【課題を解決するための手段】
【００１４】
上記目的を達成するため、本発明に係る放射線検出装置は、入射する放射線を光電変換素子が感知可能な波長帯域の第１の光に変換するシンチレータと、前記第１の光を電気信号に変換する複数の光電変換素子が２次元アレイ状に配置された有効画素領域を有する光電変換素子アレイ及びその外周部に電極パッド部を備えたセンサーパネルとを有する放射線検出装置において、第２の光を発生する光発生器と、前記センサーパネルの前記シンチレータと対向した面に配置され、且つ、前記第２の光を前記光電変換素子アレイ側へ導いて照射するように構成された導光板とを備え、前記導光板は、前記センサーパネルよりも小さいことを特徴とする。前記第２の光は、前記第１の光と異なり、画像情報を有さない光である。
【００１５】
本発明において、前記導光板は、前記光電変換素子アレイの有効画素領域と略等しい大きさを有し、前記第２の光を前記光電変換素子アレイの有効画素領域に略等しい範囲に照射するようように構成されてもよい。「略等しい」とは実質的に同一という意味であり、言い換えると同一又は所定の誤差許容範囲内にあることを指している。
【００１６】
本発明において、前記光発生器は、前記センサーパネルの前記シンチレータと対向した面における前記導光板の外側に配置され、前記光発生器の周辺部に、前記センサーパネルを支持する支持部材が配置されてもよい。前記支持部材は、前記センサーパネルの外周部に配置されてもよい。前記支持部材は、衝撃干渉材としての機能を有してもよい。前記支持部材は、光反射材としての機能を有してもよい。
【００１７】
本発明において、前記光発生器は、一部に光反射面を有してもよい。前記導光板は、前記センサーパネル側の面に光拡散シートを設置していてもよい。前記導光板は、前記センサーパネル側とは反対側の面に光反射シートを設置していてもよい。前記光電変換素子は、絶縁性基板上に配置された非単結晶半導体層を有してもよい。
【００１８】
本発明に係る放射線撮像システムは、上記いずれかに記載の放射線検出装置を備えたことを特徴とする。本発明において、前記放射線検出装置からの信号を処理する信号処理手段と、前記信号処理手段からの信号を記録するための記録手段と、前記信号処理手段からの信号を表示するための表示手段と、前記信号処理手段からの信号を伝送するための伝送処理手段と、前記放射線を発生させるための放射線源とをさらに備えてもよい。
【発明の効果】
【００１９】
本発明によれば、センサーパネルよりも小さい導光板を設置することで、光照射用の光量の不均一が是正される。また、センサーパネルの大きさ以内で導光板、光発生器、支持部材を設置することができる。これにより、不感領域が最小限に抑えられ、放射線撮影時のセンサーパネルの使用可能領域が広がると共に、支持部材が設置できることで、光発生器の機械的強度が増す。従って、使用範囲が広く、より安定した信頼性の高い放射線検出装置を得ることができる。
【発明を実施するための最良の形態】
【００２０】
以下、本発明の実施形態について図面を用いて詳細に説明する。なお、本明細書では、放射線はＸ線、γ線、あるいはα線、β線等の粒子線を含むものである。また、シンチレータ（波長変換体）は、入射するＸ線、γ線などの放射線を光電変換素子が感知可能な波長帯域の光に変換するものである。
【００２１】
図１は、本実施形態の放射線検出装置を示す断面図である。本実施形態の放射線検出装置は、放射線をシンチレータで光に変換し、その光を光電変換素子で電気信号に変換する間接変換型のものに適用している。
【００２２】
図１中、１はシンチレータパネル、２は光電変換素子アレイ、３は配線・電極パッド部、４は基板である。このシンチレータパネル１、光電変換素子アレイ２、配線・電極パッド部３、及び基板４により、センサーパネル５が構成される。
【００２３】
このうち、シンチレータパネル１は、放射線検出装置に入射するＸ線を可視光に変換するシンチレータ（例えば蛍光体）で構成される。このシンチレータパネル１１の実装方法は、光電変換素子アレイ２上にシンチレータを積層させたカーボンやフィルムを貼り合わせる方式でも、光電変換素子アレイ２上に直接シンチレータを堆積させる方式でも、いずれでも適用可能である。
【００２４】
光電変換素子アレイ２は、光を電気信号に変換する複数の光電変換素子が２次元アレイ状に配置された有効画素領域を有している。この光電変換素子アレイ２は、一例として、駆動配線と信号線に接続されたスイッチング素子としてのＴＦＴ（Thin Film Transistor）素子と、そのＴＦＴ素子に接続された光電変換素子とから構成されている。この光電変換素子及びＴＦＴ素子としては、絶縁性基板上に設けられたアモルファスシリコンなどの非単結晶半導体層を有するものが用いられる。
【００２５】
図１において、Ａ１−Ａ２間は光電変換素子アレイ２の有効画素領域に対応する光電変換素子アレイ領域であり、Ａ２−Ｂ１間はセンサーパネル５の端部から光電変換素子アレイ２までの不感領域である。
【００２６】
また、同図において、６は導光板、７は光発生器である。この導光板６及び光発生器７により、光電変換素子アレイ２への光照射を行う光照射部１０が構成される。導光板６は、シャーシ９上にセンサーパネル５よりも小さく、光電変換素子アレイ領域Ａ１−Ａ２に略等しい大きさで設置されている。
【００２７】
これによると、光発生器７からの光が導光板６を介してセンサーパネル５側の光電変換素子アレイＡ１−Ａ２領域内へ照射される。この光照射により、光電変換素子アレイ２内の各光電変換素子に強制的に電荷を発生させ、それを画像情報として用いずに読み出したり、欠陥に取り込まれる分だけの電荷を発生させて欠陥準位を埋めたりできる。これにより、光電変換素子の特性改善を図ることができる。
【００２８】
さらに、８は光発生器１０２の保護及び外周部の機械的強度を増すための支持部材、９はＳＵＳ（ステンレス鋼）等で構成された取り付け用シャーシである。支持部材８は、導光板６と同じ高さに形成され、光電変換素子アレイ２の領域以外に設置される。また、支持部材８の光発生器７上部は、本実施形態では光発生器１０２から導光板６への光の伝達効率を高めるために光反射機能を持つ。支持部材８、光発生器７、及び導光板６の上部に、前述のセンサーパネル５が設置される。
【００２９】
以上のセンサーパネル５、導光板６、光発生器７、支持部材８、及びシャーシ９により、本実施形態の放射線検出装置が構成される。この放射線検出装置によれば、光電変換素子アレイ領域Ａ１−Ａ２と導光板６とを略等しい大きさとすることで、光電変換素子アレイ領域Ａ１−Ａ２で均一な光量が得られる。また、光発生器７をセンサーパネル５の占有領域内（不感領域Ａ２−Ｂ１）に設置しているので、不感領域を最小限に抑え、放射線撮影時のセンサーパネル５の使用可能領域を広げることが可能である。さらに支持部材８が機械的保護部を兼ねているので、外部圧力や衝撃等による光発生器７の破壊を防止できる。従って、本実施形態によれば、信頼性が高く、広範囲な撮影条件を持つ放射線検出装置を得ることができる。
【００３０】
次に、本実施形態の放射線検出装置について、下記の実施例を用いて詳細に説明する。
【実施例１】
【００３１】
まず、図２〜図７を参照して、本発明の第１の実施例を説明する。
【００３２】
本実施例による放射線検出装置には、図２及び図３に示すように、シャーシ９上にセンサーパネル５よりも小さく、光電変換素子アレイ領域Ａ１−Ａ２に略等しい大きさの導光板６が設置されている。導光板６は、光伝播の効率が良く透明度の高い樹脂素材、例えばアクリル樹脂等が好ましい。この導光板６の大きさは、光の拡散成分を考慮し、光電変換素子アレイ領域Ａ１−Ａ２よりも１〜２ｍｍ程度大きくしておくと、さらに良い。
【００３３】
また、導光板６の外側において、光電変換素子アレイ領域Ａ１−Ａ２以外の不感領域Ｂ２−Ａ１、Ａ２−Ｂ１に位置する外周部には、光発生器７と、導光板６と同じ高さに加工した支持部材８とが設置されている。光発生器７は、例えばＬＥＤ（Light Emitting Diode）、冷陰極管や半導体レーザー等の高出力光源が好ましい。
【００３４】
支持部材８は、事前に光発生器７と一体加工しておくことも可能である。支持部材８の光発生器７上部面は、光発生器１０２から導光板６への光の伝達効率を高めるために光発生器７からの光を透過させない方が好ましい。このため、本実施例では、支持部材８は、シャーシ９と同じＳＵＳで構成され、衝撃干渉材としての機能と兼用して、光反射材としての機能を有している。シャーシ９は、導光板６から光電変換素子アレイ領域Ａ１−Ａ２へ照射される光の照射効率を高めるために光反射機能を兼ねるとさらに良い。支持部材８のセンサーパネル接着面の巾は、実装上、５〜１５ｍｍ程必要とされるため、本実施形態ではその範囲内に設定している。
【００３５】
支持部材８の設置場所は、全体重量を軽くするため、図４に示すように基板４上の光電変換素子アレイ２の外周部（４辺からなる枠状の周辺領域）における四隅にそれぞれ支持部材８を配置することが可能である。或いは、図５に示すように外周部の４辺のそれぞれの中央部へ支持部材８を配置することも可能である。その他、強度を上げるため、これら四隅や中央部等の配置の組み合わせを採用することも可能である。また、さらに強度を上げるため、図６に示すように光電変換素子アレイ２の外周部の４辺のうちの２辺（図中の左辺及び右辺）を構成する左右全域に支持部材８を配置することが可能である。或いは、図７に示すように４辺の外周部全体へ枠状に支持部材８を設置することも可能である。
【００３６】
従って、本実施例によれば、光照射機能を有する放射線検出装置において、光電変換素子アレイ領域Ａ１−Ａ２と導光板６とを略等しい大きさとすることで、光電変換素子アレイ領域Ａ１−Ａ２で均一な光量が得られる。また、光発生器７をセンサーパネル５の占有領域（不感領域Ｂ２−Ａ１、Ａ２−Ｂ１）内に設置しているので、不感領域を最小限に抑え、放射線撮影時のセンサーパネルの使用可能領域を広げることが可能である。さらに、支持部材８が機械的保護部を兼ねているので、外部圧力や衝撃等による光発生器７の破壊を防止できる。従って、信頼性が高く、広範囲な撮影条件を持つ放射線検出装置が得られる。
【実施例２】
【００３７】
次に、図８を参照して、本発明の第２の実施例を説明する。
【００３８】
本実施例による放射線検出装置には、図８に示すように、第１の実施例の構成（図３参照）に追加して、導光板６とその上部に位置する基板４との間に、光拡散シート１１が導光板６に略等しい大きさで配置されている。また、支持部材８は、導光板６の高さに光拡散シート１１の厚み分を加えた高さと同じ高さに加工して配置されている。その他の構成は、第１の実施例と同様である。
【００３９】
光拡散シート１１は、アクリル樹脂やポリカーボネート等の樹脂の表面に不規則な凹凸を形成したシートである。この光拡散シート１１を導光板６の上部に設置することで、光電変換素子アレイ領域Ａ１−Ａ２に、より均一な光照射用の光を得ることができる。
【００４０】
なお、支持部材８の設置場所は、第１の実施例と同様に、全体重量を軽くするために四隅や中央部へ配置の他、強度を上げるためにこれら配置等の組み合わせや、さらに強度を上げるために左右全域や、外周部全体へ枠状に設置することが可能である。
【００４１】
従って、本実施例によれば、第１の実施例と同様の効果に加え、光拡散シート１１を配置することで、より均一な光照射用の光を得ることができるといった利点がある。
【実施例３】
【００４２】
次に、図９を参照して、本発明の第３の実施例を説明する。
【００４３】
本実施例による放射線検出装置には、図９に示すように、第２の実施例の構成（図８参照）に追加して、導光板６とその下部に位置するシャーシ９との間に、光反射シート１２が配置されている。光反射シート１２は、さらに導光板６の外側の不感領域Ｂ２−Ａ１、Ａ２−Ｂ１に延びて、光発生器７の下部まで配置されている。その他の構成は、第１の実施例と同様である。
【００４４】
光反射シート１２の材質は、Ａｌ／ＰＥＴ（ポリエチレンテレフタレート）もしくは白ＰＥＴが好ましい。この光反射シート１２を導光板６及び光発生器７の下部に設置することで、光照射用の光の伝達効率を高めることが可能である。
【００４５】
従って、本実施例によれば、第１の実施例と同様の効果に加え、光反射シート１２を配置することで、光照射用の光の伝達効率を高めることができるといった利点がある。
【実施例４】
【００４６】
次に、図１０を参照して、本発明の第４の実施例を説明する。
【００４７】
本実施例による放射線検出装置には、図１０に示すように、第１の実施例の構成（図３参照）に加え、導光板６とその下部に位置するシャーシ９との間に、光反射シート１２が配置されている。光反射シート１２は、さらに導光板６の外側の不感領域Ｂ２−Ａ１、Ａ２−Ｂ１に延びて、光発生器７及び支持部材８を覆うように上部、下部、及び支持部材８の外側の側面部に配置されている。
【００４８】
光反射シート１２の材質は、第３の実施例と同様にＡｌ／ＰＥＴもしくは白ＰＥＴが好ましい。この光反射シート１２を導光板６及び光発生器７の下部に設置することで、光照射用の光の伝達効率を高めることが可能である。
【００４９】
また、光反射シート１２で覆った光発生器７の上部は、支持部材８を省略して、導光板６の高さと同一にしておく。この構成により、支持部材８の使用量を少なくすることができ、放射線検出装置の軽量化が可能である。
【００５０】
従って、本実施例によれば、第１の実施例と同様の効果に加え、光反射シート１２を配置することで光照射用の光の伝達効率を高めると共に、光発生器上部の支持部材８を省略することで放射線検出装置の軽量化を図ることができるといった利点がある。
【００５１】
なお、支持部材８の設置場所は、第１の実施例と同様に、全体重量を軽くするために四隅や中央部へ配置の他、強度を上げるためにこれら配置等の組み合わせや、さらに強度を上げるために左右全域や、外周部全体へ枠状に設置することが可能である。
【実施例５】
【００５２】
次に、図１１を参照して、本発明の第５の実施例を説明する。
【００５３】
本実施例による放射線検出装置は、図１１に示すように、第４の実施例の図１０の構成に追加して、導光板６とその上部に位置する基板４との間に、光拡散シート１１が導光板６に略等しい大きさで配置されている。
【００５４】
光拡散シート１１は、第２の実施例と同様に、アクリル樹脂やポリカーボネートの樹脂の表面に不規則な凹凸を形成したシートである。この光拡散シート１１を導光板６の上部に設置することで、光電変換素子アレイ領域Ａ１−Ａ２に、より均一な光照射用の光を得ることができる。
【００５５】
従って、本実施例によれば、第４の実施例と同様の効果に加え、光拡散シート１１を導光板６の上部に配置することで、より均一な光照射用の光を得ることができるといった利点がある。
【実施例６】
【００５６】
本発明の第６の実施例では、本発明に係る放射線検出装置を用いた放射線撮像システムについて説明する。
【００５７】
図１２は本実施例の概要図である。図１２において、Ｘ線チューブ６０５０で発生したＸ線６０６０は患者あるいは被験者６０６１の胸部６０６２を透過し、シンチレータを上部に実装した放射線検出装置６０４０に入射する。この入射したＸ線には患者６０６１の体内部の情報が含まれている。Ｘ線の入射に対応してシンチレータは発光し、これを光電変換して、電気的情報を得る。この情報はデジタルに変換され。イメージプロセッサ６０７０により画像処理され制御室のディスプレイ６０８０で観察できる。
【００５８】
また、この情報は電話回線６０９０等の伝送手段により遠隔地へ転送でき、別の場所のドクタールームなどディスプレイ６０８１に表示もしくは光ディスク等の保存手段に保存することができ、遠隔地の医師が診断することも可能である。またフィルムプロセッサ６１００によりフィルム６１１０に記録することもできる。
【産業上の利用可能性】
【００５９】
以上説明したように、本発明は、医療用のＸ線センサ等に応用することが可能であるが、無破壊検査等のそれ以外の用途に応用した場合にも有効である。
【図面の簡単な説明】
【００６０】
【図１】本発明の第１の実施形態に係る放射線検出装置を示す断面図である。
【図２】第１の実施形態に係る放射線検出装置を示す平面図である。
【図３】本発明の第１の実施例に係る放射線検出装置を示す断面図である。
【図４】第１の実施例において、支持部材を四隅に設置した場合の設置位置を示す平面図である。
【図５】第１の実施例において、支持部材を中央部に設置した場合の設置位置を示す平面図である。
【図６】第１の実施例において、支持部材を左右全域に設置した場合の設置位置を示す平面図である。
【図７】第１の実施例において、支持部材を外周部全体に枠状に設置した場合の設置位置を示す平面図である。
【図８】本発明の第２の実施例に係る放射線検出装置を示す断面図である。
【図９】本発明の第３の実施例に係る放射線検出装置を示す断面図である。
【図１０】本発明の第４の実施例に係る放射線検出装置を示す断面図である。
【図１１】本発明の第５の実施例に係る放射線検出装置を示す断面図である。
【図１２】本発明の第６の実施例に係る放射線検出装置を用いた放射線撮像システムを説明する概要図である。
【図１３】従来例の放射線検出装置を示す断面図である。
【符号の説明】
【００６１】
１  シンチレータパネル
２  光電変換素子アレイ
３  配線・電極パッド部
４  基板
５  センサーパネル
６  導光板
７  光発生器
８  支持部材
９  シャーシ
１０  光照射部
１１  光拡散シート
１２  光反射シート
Ａ１−Ａ２  光電変換素子アレイ領域
Ａ２−Ｂ１、Ｂ２−Ａ１  不感領域
【図１】
2007163216.tif 000003
【図２】
2007163216.tif 000004
【図３】
2007163216.tif 000005
【図４】
2007163216.tif 000006
【図５】
2007163216.tif 000007
【図６】
2007163216.tif 000008
【図７】
2007163216.tif 000009
【図８】
2007163216.tif 000010
【図９】
2007163216.tif 000011
【図１０】
2007163216.tif 000012
【図１１】
2007163216.tif 000013
【図１２】
2007163216.tif 000014
【図１３】
2007163216.tif 000015